(57)【要約】      （修正有）【課題】光ディスク判別処理に要する時間を短縮可能で、装着からフォーカスサーボオンまでの時間を短縮可能な光ディスク装置を提供する。【解決手段】ＣＤ用レーザによるフォーカスサーチの際、サーチ開始位置をジャストフォーカス位置よりも少しだけ低い位置とし、サーチ終了位置もこの開始位置と同じジャストフォーカス位置よりも少しだけ低い位置とする。ＤＶＤ用レーザによるフォーカスサーチの際は、サーチ上限位置を、ＣＤにレーザ光を照射した場合のジャストフォーカス位置よりも低く、かつＤＶＤにレーザ光を照射した場合のジャストフォーカス位置よりも高い位置とする。これにより、ＣＤ用レーザによる光ディスク判別に不要なフォーカス下限位置近傍のサーチとＤＶＤ用レーザによる光ディスク判別に不要なフォーカス上限位置近傍のサーチを省略するため、対物レンズを上昇および下降させて行うフォーカスサーチに要する時間を短縮することができる。【選択図】図５
2005353201.tif 000002
【特許請求の範囲】
【請求項１】
異なる種類の光ディスクに記録されているデータを再生可能な光ディスク装置において、
前記光ディスクに第１の光ディスクを再生する場合に用いる第１のレーザ光または第２の光ディスクを再生する場合に用いる第２のレーザ光を照射し、前記第１または第２のレーザ光の前記光ディスクからの反射光に応じた電気信号を生成する光ピックアップと、
前記光ピックアップによって生成された電気信号に基づいて所定の信号を生成する信号処理手段と、
前記光ピックアップによって前記第１のレーザ光を照射し、フォーカスを光ディスク厚さ方向に上昇及び下降させてフォーカスサーチを行い、前記光ピックアップによって前記第２のレーザ光を照射し、フォーカスを光ディスク厚さ方向に上昇及び下降させてフォーカスサーチを行うフォーカスサーチ手段と、
前記フォーカスサーチ手段によってフォーカスサーチを行っている期間に前記信号処理手段によって生成された所定の信号を測定し、測定結果に基づいて前記光ディスクの種類を判別する判別手段とを有し、
前記フォーカスサーチ手段は、前記光ディスク厚さ方向における、前記第１のレーザ光によるフォーカスサーチのときのサーチ範囲と前記第２のレーザ光によるフォーカスサーチのときのサーチ範囲を異ならせたことを特徴とする光ディスク装置。
【請求項２】
前記フォーカスサーチ手段は、前記第１のレーザ光によるフォーカスサーチのときは、前記第１の光ディスクのジャストフォーカス位置近傍をサーチ範囲とし、前記第２のレーザ光によるフォーカスサーチのときは、前記第１の光ディスクのジャストフォーカス位置とは異なる前記第２の光ディスクのジャストフォーカス位置近傍をサーチ範囲としたことを特徴とする請求項１記載の光ディスク装置。
【請求項３】
前記第１の光ディスクがＣＤであり、前記第２の光ディスクがＤＶＤであることを特徴とする請求項１または２記載の光ディスク装置。
【請求項４】
異なる種類の光ディスクに記録されているデータを再生可能な光ディスク装置において、
前記光ディスクに第１の光ディスクを再生する場合に用いる第１のレーザ光または第２の光ディスクを再生する場合に用いる第２のレーザ光を照射し、前記第１または第２のレーザ光の前記光ディスクからの反射光に応じた電気信号を生成する光ピックアップと、
前記光ピックアップによって生成された電気信号に基づいて所定の信号を生成する信号処理手段と、
前記光ピックアップによって前記第１及び第２のレーザ光を照射し、フォーカスを光ディスク厚さ方向に上昇及び下降させてフォーカスサーチを行うフォーカスサーチ手段と、
前記フォーカスサーチ手段によってフォーカスサーチを行っている期間に前記信号処理手段によって生成された所定の信号を測定し、測定結果に基づいて前記光ディスクの種類を判別する判別手段とを有し、
前記フォーカスサーチ手段は、前記第１のレーザ光を照射している期間に、前記フォーカスを上昇させ、前記第２のレーザを照射している期間に、前記フォーカスを下降させることを特徴とする光ディスク装置。
【請求項５】
前記フォーカスサーチ手段は、前記光ディスク厚さ方向における、前記第１のレーザ光によるフォーカスサーチのときのサーチ範囲と前記第２のレーザ光によるフォーカスサーチのときのサーチ範囲を異ならせたことを特徴とする請求項４記載の光ディスク装置。
【請求項６】
前記フォーカスサーチ手段は、前記第１のレーザ光によるフォーカスサーチのときは、前記第１の光ディスクのジャストフォーカス位置近傍をサーチ範囲とし、前記第２のレーザ光によるフォーカスサーチのときは、前記第１の光ディスクのジャストフォーカス位置とは異なる前記第２の光ディスクのジャストフォーカス位置近傍をサーチ範囲としたことを特徴とする請求項５記載の光ディスク装置。
【請求項７】
前記第１の光ディスクは、ＣＤあるいはＤＶＤのいずれか一方であり、前記第２の光ディスクは、ＣＤあるいはＤＶＤのいずれか他方であることを特徴とする請求項４〜６のいずれかに記載の光ディスク装置。
【発明の詳細な説明】
【技術分野】
【０００１】
本発明は、光ディスク装置、特に装着された光ディスクの種類を判別して再生する際の処理に関する。
【背景技術】
【０００２】
従来より、ＣＤ（Ｃｏｎｐａｃｔ  Ｄｉｓｃ）とＤＶＤ（Ｄｉｇｉｔａｌ  Ｖｅｒｓａｔｉｌｅ  Ｄｉｓｃ）の双方の光ディスクを再生可能な光ディスク装置が知られている。一般に、従来の光ディスク装置は、ＣＤ用のレーザ光とＤＶＤ用のレーザ光を出力できる２波長光ピックアップを備えており、光ディスク装着時などの起動時に、まず始めに装着された光ディスクの種類を２つのレーザ光を用いて判別し、光ディスクのデータ面に対するフォーカスサーチを行った後、データの再生を開始している。すなわち、光ディスクがＣＤであるかＤＶＤであるかを判別する判別処理を行った後、データの再生を開始している。
【０００３】
以下、従来の光ディスク装置による再生処理について、図１を参照して説明する。図１は、従来の光ディスク判別処理におけるフォーカスサーチ電圧の変化を示すものである。
【０００４】
光ディスクが装着されると、まずＣＤ用のレーザが発光され、図１に示すようなフォーカスサーチ電圧に基づいて光ピックアップ内の対物レンズの上昇が開始され、フォーカス方向にフォーカスサーチが行われる。このサーチ電圧は、傾斜状に上昇する信号に一定周期で微小振動する信号が重畳された信号であり、一定電圧まで上昇した後、同様の傾斜角で下降する。このサーチ電圧に基づいて対物レンズを微小に上下に振動させながら上昇及び下降させることにより、フォーカスを上下に移動させている。また、このとき、対物レンズはトラッキング方向にも微小に振動させている。
【０００５】
そして、このようにフォーカスを上昇及び下降させている期間に、光ディスクからの反射光に基づいて反射和信号（ＡＳ信号）、ＲＦエンベロープ信号（変調度）及びフォーカスエラー（ＦＥ）信号を検出し、変調度が所定値以上であるか否か、フォーカスエラー（ＦＥ）信号の振幅が所定値以上であるか否かなどによって、装着された光ディスクがＣＤであるか否かを判別している。
【０００６】
対物レンズがサーチ開始時の元の位置まで下降し、フォーカスが下限位置まで戻り、ＣＤ用レーザ光によるフォーカスサーチが終了すると、次に、ＤＶＤ用のレーザを発光させる。そして、図１に示すように、ＣＤ用レーザ光によるフォーカスサーチの場合と同様のフォーカスサーチ電圧に基づいてフォーカスサーチが行われる。
【０００７】
そして、再びフォーカスを上昇及び下降させている期間に、光ディスクからの反射光に基づいて反射和信号（ＡＳ信号）、ＲＦエンベロープ信号（変調度）及びフォーカスエラー（ＦＥ）信号を検出し、変調度が所定値以上であるか否か、フォーカスエラー（ＦＥ）信号の振幅が所定値以上であるか否かなどによって、装着された光ディスクがＤＶＤであるか否かを判別している。
【０００８】
この光ディスク判別処理によって装着された光ディスクの種類が判別されると、判別結果に基づいて対応するレーザ光を発光する。その後、フォーカスサーボやトラッキングサーボなどがオンとされ、光ディスクのデータ面に記録されているデータの再生が開始される。
【０００９】
なお、従来の光ディスク装置では、挿入された光ディスクの種類がＣＤであるかＤＶＤであるかの判別に加え、さらに詳細な種別であるＣＤ−ＲＯＭ、ＣＤ−Ｒ、ＤＶＤ−ＲＯＭ、ＤＶＤ−ＲＡＭなどを判別するものもある（例えば、特許文献１）。
【００１０】
【特許文献１】特開平１１−２１３５３０号公報
【発明の開示】
【発明が解決しようとする課題】
【００１１】
上述したように、従来の光ディスク装置では、光ディスクが装着されてからフォーカスサーボなどがオンとされるまでに、光ディスク判別処理においてフォーカスの上昇が２回、下降が２回行われているので、結果として、実際にデータの再生が開始されるまでに数秒を要することとなる。よって、光ディスク判別処理に要する時間を短縮し、フォーカスサーボなどがオンとされるまでに要する時間の短縮が望まれている。
【００１２】
また、図２には、ＣＤとＤＶＤの断面図を示しているが、図２（Ａ）に示すように、ＣＤのデータ面（信号面）は、レーザ光が照射される表面側から最も遠い位置に存在していることに対して、図２（Ｂ）に示すように、ＤＶＤのデータ面（信号面）は、光ディスクの厚みの中央の位置に存在している。そのため、ＣＤ用レーザ光によるＣＤのジャストフォーカス位置は、ＤＶＤ用レーザ光によるＤＶＤのジャストフォーカス位置よりも上昇した位置であり、ＣＤ用レーザ光の場合はフォーカス下限位置近傍が、ＤＶＤ用レーザ光の場合はフォーカス上限位置近傍が、光ディスク判別に不要なフォーカス位置と言える。それにもかかわらず、従来の光ディスク装置では、図１に示すように、フォーカスが２回とも同じ下限位置から上昇を開始し、２回とも同じ上限位置まで上昇しているため、光ディスク判別処理に時間を要し、やはりデータの再生が開始されるまでに時間を要することとなる。
【００１３】
本発明は、このような状況に鑑みてなされたものであり、光ディスク判別処理に要する時間を短縮することができ、光ディスクが装着されてからフォーカスサーボなどがオンとされるまでの時間を従来よりも短縮できる光ディスク装置を提供することを目的とする。
【課題を解決するための手段】
【００１４】
上記目的を達成するために、本発明は、異なる種類の光ディスクに記録されているデータを再生可能な光ディスク装置において、前記光ディスクに第１の光ディスクを再生する場合に用いる第１のレーザ光または第２の光ディスクを再生する場合に用いる第２のレーザ光を照射し、前記第１または第２のレーザ光の前記光ディスクからの反射光に応じた電気信号を生成する光ピックアップと、前記光ピックアップによって生成された電気信号に基づいて所定の信号を生成する信号処理手段と、前記光ピックアップによって前記第１のレーザ光を照射し、フォーカスを光ディスク厚さ方向に上昇及び下降させてフォーカスサーチを行い、前記光ピックアップによって前記第２のレーザ光を照射し、フォーカスを光ディスク厚さ方向に上昇及び下降させてフォーカスサーチを行うフォーカスサーチ手段と、前記フォーカスサーチ手段によってフォーカスサーチを行っている期間に前記信号処理手段によって生成された所定の信号を測定し、測定結果に基づいて前記光ディスクの種類を判別する判別手段とを有し、前記フォーカスサーチ手段は、前記光ディスク厚さ方向における、前記第１のレーザ光によるフォーカスサーチのときのサーチ範囲と前記第２のレーザ光によるフォーカスサーチのときのサーチ範囲を異ならせたことを特徴とする光ディスク装置である。
【００１５】
また、前記フォーカスサーチ手段は、前記第１のレーザ光によるフォーカスサーチのときは、前記第１の光ディスクのジャストフォーカス位置近傍をサーチ範囲とし、前記第２のレーザ光によるフォーカスサーチのときは、前記第１の光ディスクのジャストフォーカス位置とは異なる前記第２の光ディスクのジャストフォーカス位置近傍をサーチ範囲としたことを特徴とするものである。
【００１６】
また、前記第１の光ディスクがＣＤであり、前記第２の光ディスクがＤＶＤであることを特徴とするものである。
【００１７】
さらに、本発明は、異なる種類の光ディスクに記録されているデータを再生可能な光ディスク装置において、前記光ディスクに第１の光ディスクを再生する場合に用いる第１のレーザ光または第２の光ディスクを再生する場合に用いる第２のレーザ光を照射し、前記第１または第２のレーザ光の前記光ディスクからの反射光に応じた電気信号を生成する光ピックアップと、前記光ピックアップによって生成された電気信号に基づいて所定の信号を生成する信号処理手段と、前記光ピックアップによって前記第１及び第２のレーザ光を照射し、フォーカスを光ディスク厚さ方向に上昇及び下降させてフォーカスサーチを行うフォーカスサーチ手段と、前記フォーカスサーチ手段によってフォーカスサーチを行っている期間に前記信号処理手段によって生成された所定の信号を測定し、測定結果に基づいて前記光ディスクの種類を判別する判別手段とを有し、前記フォーカスサーチ手段は、前記第１のレーザ光を照射している期間に、前記フォーカスを上昇させ、前記第２のレーザを照射している期間に、前記フォーカスを下降させることを特徴とする光ディスク装置である。
【００１８】
また、前記フォーカスサーチ手段は、前記光ディスク厚さ方向における、前記第１のレーザ光によるフォーカスサーチのときのサーチ範囲と前記第２のレーザ光によるフォーカスサーチのときのサーチ範囲を異ならせたことを特徴とするものである。
【００１９】
また、前記フォーカスサーチ手段は、前記第１のレーザ光によるフォーカスサーチのときは、前記第１の光ディスクのジャストフォーカス位置近傍をサーチ範囲とし、前記第２のレーザ光によるフォーカスサーチのときは、前記第１の光ディスクのジャストフォーカス位置とは異なる前記第２の光ディスクのジャストフォーカス位置近傍をサーチ範囲としたことを特徴とするものである。
【００２０】
また、前記第１の光ディスクは、ＣＤあるいはＤＶＤのいずれか一方であり、前記第２の光ディスクは、ＣＤあるいはＤＶＤのいずれか他方であることを特徴とするものである。
【発明の効果】
【００２１】
本発明によれば、光ディスク判別処理に要する時間を短縮することができ、光ディスクが装着されてからフォーカスサーボなどオンとされるまでの時間を従来よりも短縮することができる。
【発明を実施するための最良の形態】
【００２２】
以下、図面に基づき本発明の実施形態について説明する。
【００２３】
図３には、本実施形態に係る光ディスク装置の構成ブロック図が示されている。ＣＤやＤＶＤなどの光ディスク１０は、スピンドルモータ（ＳＰＭ）１２により回転駆動される。
【００２４】
２波長光ピックアップ（ＰＵ）１４は、光ディスク１０に対向配置され、ＰＵ１４内のＣＤ用レーザ（７８０ｎｍ）またはＤＶＤ用レーザ（６５０ｎｍ）からレーザ光を光ディスク１０の表面に照射する。また、ＰＵ１４内のフォトディテクタにより、その反射光を検出し、反射光の強弱に応じた電気信号を生成して信号処理部１６に出力する。
【００２５】
信号処理部１６は、ＰＵ１４からの電気信号に基づいてＲＦ信号、トラッキングエラー（ＴＥ）信号およびフォーカスエラー（ＦＥ）信号を生成する。ＲＦ信号は、データ復調部１８によりデータに復調され、エラー訂正処理を行った後、Ｉ／Ｆ部２０およびバスを介してＰＣなどの外部機器に出力される。
【００２６】
コントローラ２２は、光ディスク１０上のトラックに対する光スポット位置の光ディスク径方向の変化を示すＴＥ信号の入力を受け、ＴＥ信号の変化に基づいて、ＰＵ１４内にある、対物レンズを光ディスク径方向に移動させるトラッキングアクチュエータを駆動する駆動信号をＰＵ１４に供給し、あるいは、ＰＵ１４を光ディスク径方向に移動させるスレッドモータ（ＳＬＭ）２４を駆動する駆動信号を供給し、オントラック状態とする（トラッキングサーボ）。また、このコントローラ２２は、光スポットの光ディスク厚さ方向のフォーカス位置の変化を示すＦＥ信号の入力を受け、ＦＥ信号の変化に基づいて、ＰＵ１４内にある、対物レンズを光ディスク厚さ方向に移動させるフォーカスアクチュエータを駆動する駆動信号をＰＵ１４に供給し、オンフォーカス状態とする（フォーカスサーボ）。例えば、４分割フォトディテクタの場合、光ディスク径方向に分割されたディテクタの出力の差分からＴＥ信号が生成され、４分割フォトディテクタの出力の対角和の差分からＦＥ信号が生成される。もちろん、他の方式でも可能である。
【００２７】
なお、他にも、コントローラ２２は、ＳＰＭ１２から回転情報を受け、所望の回転数で回転させるための信号を供給する動作なども行う。さらにコントローラ２２は、データの再生動作や後述する光ディスク判別処理といった動作を行うように、光ディスク装置全体を制御するもので、信号処理部１６、データ復調部１８、Ｉ／Ｆ２０をも制御する。
【００２８】
次に、本実施形態の光ディスク装置による光ディスク判別処理を含む再生処理についての例を図面に基づいて説明する。
【実施例１】
【００２９】
図４のフローチャート、ならびに図５のフォーカスサーチ電圧の変化を示す図を参照して本実施例を説明する。
【００３０】
まず、コントローラ２２は、光ディスク１０が装着されたか否かを判定し、光ディスク１０が装着されたと判定するまで待機する（Ｓ１０１）。光ディスク１０が装着されたと判定された場合、ＳＰＭ１２を駆動し、光ディスク１０を回転させるとともに、まず、ＰＵ１４のＣＤ用レーザを発光（オン）させる（Ｓ１０２）。次に、対物レンズを、光ディスク厚さ方向に対し光ディスク１０に近づける位置にＵＰ（上昇）させて、ＣＤ用レーザのフォーカスサーチ開始位置に位置付ける（Ｓ１０３）。このＣＤ用レーザのフォーカスサーチ開始位置は、予め設定された所定のオフセット電圧をフォーカスアクチュエータに印加することで位置付けることができる。また、この所定のオフセット電圧は、フォーカス位置がＣＤにレーザ光を照射した場合のジャストフォーカス位置よりも多少低い位置となるように、対物レンズを位置付ける値が設定される。より詳しくは、面振れの大きいＣＤは、ＣＤの回転周期内においてジャストフォーカス位置が大きく変位することになる。したがって、ＣＤ用レーザのフォーカスサーチ開始位置におけるフォーカス位置が、面振れによるジャストフォーカス位置の下限位置よりも多少低い位置となるように設定される。例として、面振れによるジャストフォーカス位置の下限位置が、正規のジャストフォーカス位置より０．３ｍｍほど低くなる場合は、フォーカスサーチ開始位置におけるフォーカス位置が、正規のジャストフォーカス位置よりも０．４ｍｍほど低い位置となるように設定される。
【００３１】
そして、対物レンズをＣＤ用レーザのフォーカスサーチ開始位置に位置付けた後、図５に示すようなフォーカスサーチ電圧に基づいてフォーカスアクチュエータを駆動し、対物レンズをＵＰ（上昇）させる（Ｓ１０４）。このサーチ電圧は、傾斜状に上昇する信号に一定周期で微小振動する信号が重畳された信号であり、このサーチ電圧に基づいて対物レンズを微小に上下に振動させながら上昇させることにより、フォーカスを上昇させている。また、このとき、対物レンズはトラッキング方向にも微小に振動させてもよい。
【００３２】
そして、このようにフォーカスを上昇させている期間に、ＦＥ信号の変化を測定する（Ｓ１０５）。対物レンズを光ディスク厚さ方向に対し上昇させ、フォーカスを上昇させると、ＦＥ信号にはいわゆるＳ字波形といわれる波形が現れる。フォーカスを上昇させている期間に、このＳ字波形の振幅（最大値と最小値の電圧差）を測定する。この測定結果は、光ディスク１０の種類を判別する判別材料となるので、この振幅値の測定結果をコントローラ２２内の図示しないＲＡＭなどの記憶部に記憶させる（Ｓ１０６）。
【００３３】
その後、図５に示すとおりフォーカスサーチ電圧が所定の上限値に達すると、対物レンズの上昇を停止させ、今度は対物レンズを、光ディスク厚さ方向に対し光ディスク１０から遠ざける位置にＤＯＷＮ（下降）させるようにフォーカスアクチュエータを駆動し、フォーカスを下降させる（Ｓ１０７）。このときのサーチ電圧は、ステップＳ１０４でのフォーカス上昇時の傾斜角と同様の傾斜角で下降するように設定される。また、このサーチ電圧は、ステップＳ１０４での上昇時と同様に、傾斜状に下降する信号に一定周期で微小振動する信号が重畳された信号であり、このサーチ電圧に基づいて対物レンズを微小に上下に振動させながら下降させることにより、フォーカスを下降させている。なお、このときも、対物レンズはトラッキング方向にも微小に振動させてもよい。さらに、図５に示すＣＤ用レーザのフォーカスサーチ電圧の所定の上限値は、フォーカス位置が面振れによるジャストフォーカス位置の上限位置よりも多少高い位置となるように、対物レンズを位置付ける値が設定される。例として、面振れによるジャストフォーカス位置の上限位置が、正規のジャストフォーカス位置より０．３ｍｍほど高くなる場合は、フォーカスサーチの上限位置におけるフォーカス位置が、正規のジャストフォーカス位置よりも０．４ｍｍほど高い位置となるように設定される。
【００３４】
そして、このようにフォーカスを下降させている期間に、ＦＥ信号の変化を再び測定する（Ｓ１０８）。対物レンズを光ディスク厚さ方向に対し下降させ、フォーカスを下降させる場合にも、ＦＥ信号にはＳ字波形が現れる。フォーカスを下降させている期間に、このＳ字波形の振幅（最大値と最小値の電圧差）を測定する。ステップＳ１０５での測定結果と同様に、この測定結果も、光ディスク１０の種類を判別する判別材料となるので、この振幅値の測定結果をコントローラ２２内の図示しないＲＡＭなどの記憶部に記憶させる（Ｓ１０９）。
【００３５】
その後、図５に示すとおりフォーカスサーチ電圧が、上述の所定のオフセット電圧に達すると、対物レンズの下降を停止させ、ＣＤ用レーザを消灯（オフ）させる（Ｓ１１０）。ＣＤ用レーザがオフとなり、ＣＤ用レーザのフォーカスサーチが終了すると、次に、ＤＶＤ用レーザを発光（ＯＮ）させる（Ｓ１１１）。そして、対物レンズを、光ディスク厚さ方向に対し光ディスク１０から遠ざける位置にＤＯＷＮ（下降）させて、ＤＶＤ用レーザのフォーカスサーチ開始位置に位置付ける（Ｓ１１２）。このＤＶＤ用レーザのフォーカスサーチ開始位置は、ＤＶＤ用レーザのフォーカスサーチのために予め設定された所定の対物レンズ下限位置としてもよいし、対物レンズの最大可動範囲における最下限位置としてもよい。前者の場合は、ＤＶＤ用レーザのフォーカスサーチ開始位置におけるフォーカス位置が、ＤＶＤの面振れによるジャストフォーカス位置の下限位置よりも多少低い位置となるように設定される。例として、フォーカスサーチ開始位置におけるフォーカス位置が、正規のジャストフォーカス位置よりも０．４ｍｍほど低い位置となるように設定される。
【００３６】
そして、対物レンズをＤＶＤ用レーザのフォーカスサーチ開始位置に位置付けた後、図５に示すようなフォーカスサーチ電圧に基づいてフォーカスアクチュエータを駆動し、対物レンズをＵＰ（上昇）させる（Ｓ１１３）。ＣＤ用レーザの場合と同様に、このサーチ電圧は、傾斜状に上昇する信号に一定周期で微小振動する信号が重畳された信号であり、このサーチ電圧に基づいて対物レンズを微小に上下に振動させながら上昇させることにより、フォーカスを上昇させている。また、このとき、対物レンズはトラッキング方向にも微小に振動させてもよい。
【００３７】
そして、このようにフォーカスを上昇させている期間に、同様にＦＥ信号の変化を測定する（Ｓ１１４）。フォーカスを上昇させている期間に、このＳ字波形の振幅（最大値と最小値の電圧差）を測定する。この振幅値の測定結果をコントローラ２２内の図示しないＲＡＭなどの記憶部に記憶させる（Ｓ１１５）。
【００３８】
その後、図５に示すとおりフォーカスサーチ電圧が、ＣＤ用レーザによるフォーカスサーチの際の上限値よりも低い所定の上限値に達すると、対物レンズの上昇を停止させ、今度は対物レンズを、光ディスク厚さ方向に対し光ディスク１０から遠ざける位置にＤＯＷＮ（下降）させるようにフォーカスアクチュエータを駆動し、フォーカスを下降させる（Ｓ１１６）。このＤＶＤ用レーザによるフォーカスサーチ電圧の所定の上限値は、フォーカス位置がＣＤにレーザ光を照射した場合のジャストフォーカス位置よりも低く、かつＤＶＤにレーザ光を照射した場合のジャストフォーカス位置よりも高い位置となるように設定された値である。言い換えるならば、フォーカス位置がＤＶＤの面振れによるジャストフォーカス位置の上限位置よりも多少高い位置となるように、対物レンズを位置付ける値である。例として、ＤＶＤ用レーザのフォーカスサーチの上限位置におけるフォーカス位置が、正規のジャストフォーカス位置よりも０．４ｍｍほど高い位置となるように設定される。また、フォーカス下降時のサーチ電圧は、ステップＳ１１３でのフォーカス上昇時の傾斜角と同様の傾斜角で下降するように設定される。このサーチ電圧は、ステップＳ１１３での上昇時と同様に、傾斜状に下降する信号に一定周期で微小振動する信号が重畳された信号であり、このサーチ電圧に基づいて対物レンズを微小に上下に振動させながら下降させることにより、フォーカスを下降させている。なお、このときも、対物レンズはトラッキング方向にも微小に振動させてもよい。
【００３９】
そして、このようにフォーカスを下降させている期間に、ＦＥ信号の変化を再び測定する（Ｓ１１７）。フォーカスを下降させている期間に、Ｓ字波形の振幅（最大値と最小値の電圧差）を測定する。ステップＳ１１４での測定結果と同様に、この振幅値の測定結果をコントローラ２２内の図示しないＲＡＭなどの記憶部に記憶させる（Ｓ１１８）。
【００４０】
その後、図５に示すとおりフォーカスサーチ電圧が、上述のＤＶＤ用レーザのフォーカスサーチ開始位置と同じ電圧に達すると、対物レンズの下降を停止させ、ＤＶＤ用レーザを消灯（オフ）させる（Ｓ１１９）。ＤＶＤ用レーザがオフとなり、ＤＶＤ用レーザのフォーカスサーチも終了すると、記憶させたＣＤ用レーザ光を照射したことによるＦＥ信号の振幅値（ＦＥ信号振幅（ＣＤ））と記憶させたＤＶＤ用レーザ光を照射したことによるＦＥ信号の振幅値（ＦＥ信号振幅（ＤＶＤ））を用いて、光ディスク１０の種類を判別する（Ｓ１２０）。具体的には、光ディスク１０がＣＤの場合、ＦＥ信号振幅（ＣＤ）はＦＥ信号振幅（ＤＶＤ）よりも大きく、光ディスク１０がＤＶＤの場合、ＦＥ信号振幅（ＤＶＤ）はＦＥ信号振幅（ＣＤ）よりも大きい。そのため、ＦＥ信号振幅（ＣＤ）の大きさとＦＥ信号振幅（ＤＶＤ）の大きさを比較して、ＦＥ信号振幅（ＣＤ）のほうが大きければＣＤと判別し、ＦＥ信号振幅（ＤＶＤ）のほうが大きければＤＶＤと判別する。なお、ＦＥ信号振幅（ＣＤ）の大きさとＦＥ信号振幅（ＤＶＤ）の大きさを所定の閾値と比較して、ＦＥ信号振幅（ＣＤ）のほうが所定の閾値よりも大きければＣＤと判別し、ＦＥ信号振幅（ＤＶＤ）のほうが所定の閾値よりも大きければＤＶＤと判別するようにしてもよい。
【００４１】
ステップＳ１２０で装着された光ディスク１０の種類が判別されると、判別結果に基づいて光ディスク１０の種類に対応するレーザを再び発光（ＯＮ）させる（Ｓ１２１）。その後、フォーカスサーボやトラッキングサーボなどがオンとされ、光ディスク１０のデータ面に記録されているデータの再生が開始される（Ｓ１２２）。
【００４２】
以上説明したように、本実施例を適用した光ディスク装置によれば、ＣＤ用レーザによるフォーカスサーチの際、図５に示すようにフォーカスサーチ開始位置を、フォーカス位置がＣＤにレーザ光を照射した場合のジャストフォーカス位置よりも少しだけ低い位置とし、フォーカスサーチ終了位置もこの開始位置と同じジャストフォーカス位置よりも少しだけ低い位置としている。これにより、ＣＤ用レーザによる光ディスク判別に不要なフォーカス下限位置近傍のフォーカスサーチを省略するため、対物レンズを上昇および下降させて行うフォーカスサーチに要する時間を短縮することができる。さらに、ＤＶＤ用レーザによるフォーカスサーチの際は、図５に示すようにフォーカスサーチ上限位置を、フォーカス位置がＣＤにレーザ光を照射した場合のジャストフォーカス位置よりも低く、かつＤＶＤにレーザ光を照射した場合のジャストフォーカス位置よりも高い位置としている。これにより、ＤＶＤ用レーザによる光ディスク判別に不要なフォーカス上限位置近傍のフォーカスサーチを省略するため、対物レンズを上昇および下降させて行うフォーカスサーチに要する時間を短縮することができる。
【００４３】
言い換えるならば、本実施例を適用した光ディスク装置によれば、ＣＤ用レーザによるフォーカスサーチの際、ＣＤの面振れによるジャストフォーカス位置の変位量を考慮した範囲である、ＣＤにレーザ光を照射した場合のジャストフォーカス位置近傍のみをサーチし、ＤＶＤ用レーザによるフォーカスサーチの際も、ＤＶＤの面振れによるジャストフォーカス位置の変位量を考慮した範囲である、ＤＶＤにレーザ光を照射した場合のジャストフォーカス位置近傍のみをサーチする。これにより、対物レンズを上昇および下降させて行うフォーカスサーチに要する時間を短縮することができる。その結果、光ディスク判別に要する時間を短縮することができ、光ディスクが装着されてからフォーカスサーボなどがオンとされるまでの時間を従来よりも短縮することができる。
【実施例２】
【００４４】
本実施形態の光ディスク装置による光ディスク判別処理を含む再生処理についての他の例を図面に基づいて説明する。なお、図６のフローチャート、ならびに図７のフォーカスサーチ電圧の変化を示す図を参照して本実施例を説明する。
【００４５】
まず、コントローラ２２は、光ディスク１０が装着されたか否かを判定し、光ディスク１０が装着されたと判定するまで待機する（Ｓ２０１）。光ディスク１０が装着されたと判定された場合、ＳＰＭ１２を駆動し、光ディスク１０を回転させるとともに、まず、ＰＵ１４のＣＤ用レーザを発光（オン）させる（Ｓ２０２）。次に、対物レンズを、フォーカスサーチ開始位置に位置付ける（Ｓ２０３）。このフォーカスサーチ開始位置は、フォーカスサーチのために予め設定された所定の対物レンズ下限位置としてもよいし、対物レンズの最大可動範囲における最下限位置としてもよい。
【００４６】
そして、対物レンズをフォーカスサーチ開始位置に位置付けた後、図７に示すようなフォーカスサーチ電圧に基づいてフォーカスアクチュエータを駆動し、対物レンズをＵＰ（上昇）させる（Ｓ２０４）。このサーチ電圧は、傾斜状に上昇する信号に一定周期で微小振動する信号が重畳された信号であり、このサーチ電圧に基づいて対物レンズを微小に上下に振動させながら上昇させることにより、フォーカスを上昇させている。また、このとき、対物レンズはトラッキング方向にも微小に振動させてもよい。
【００４７】
そして、このようにフォーカスを上昇させている期間に、ＦＥ信号の変化を測定する（Ｓ２０５）。対物レンズを光ディスク厚さ方向に対し上昇させ、フォーカスを上昇させている期間に、ＦＥ信号のＳ字波形の振幅（最大値と最小値の電圧差）を測定する。この測定結果は、光ディスク１０の種類を判別する判別材料となるので、この振幅値の測定結果をコントローラ２２内の図示しないＲＡＭなどの記憶部に記憶させる（Ｓ２０６）。
【００４８】
その後、図７に示すとおりフォーカスサーチ電圧が所定の上限値に達すると、対物レンズの上昇を停止させ、ＣＤ用レーザを消灯（オフ）させる（Ｓ２０７）。ＣＤ用レーザがオフとなり、ＣＤ用レーザのフォーカスサーチが終了すると、次に、ＤＶＤ用レーザを発光（ＯＮ）させる（Ｓ２０８）。そして、今度は対物レンズを、光ディスク厚さ方向に対し光ディスク１０から遠ざける位置にＤＯＷＮ（下降）させるようにフォーカスアクチュエータを駆動し、フォーカスを下降させる（Ｓ２０９）。このときのサーチ電圧は、ステップＳ２０４でのフォーカス上昇時の傾斜角と同様の傾斜角で下降するように設定される。また、このサーチ電圧は、ステップＳ２０４での上昇時と同様に、傾斜状に下降する信号に一定周期で微小振動する信号が重畳された信号であり、このサーチ電圧に基づいて対物レンズを微小に上下に振動させながら下降させることにより、フォーカスを下降させている。なお、このときも、対物レンズはトラッキング方向にも微小に振動させてもよい。
【００４９】
そして、このようにフォーカスを下降させている期間に、ＦＥ信号の変化を再び測定する（Ｓ２１０）。対物レンズを光ディスク厚さ方向に対し下降させ、フォーカスを下降させる場合にも、ＦＥ信号にはＳ字波形が現れる。フォーカスを下降させている期間に、このＳ字波形の振幅（最大値と最小値の電圧差）を測定する。ステップＳ２０６での測定結果と同様に、この測定結果も、光ディスク１０の種類を判別する判別材料となるので、この振幅値の測定結果をコントローラ２２内の図示しないＲＡＭなどの記憶部に記憶させる（Ｓ２１１）。
【００５０】
その後、図７に示すとおりフォーカスサーチ電圧が、上述のフォーカスサーチ開始位置と同じ電圧に達すると、対物レンズの下降を停止させ、ＤＶＤ用レーザを消灯（オフ）させる（Ｓ２１２）。ＤＶＤ用レーザがオフとなり、ＤＶＤ用レーザのフォーカスサーチも終了すると、記憶させたＣＤ用レーザ光を照射したことによるＦＥ信号の振幅値（ＦＥ信号振幅（ＣＤ））と記憶させたＤＶＤ用レーザ光を照射したことによるＦＥ信号の振幅値（ＦＥ信号振幅（ＤＶＤ））を用いて、光ディスク１０の種類を判別する（Ｓ２１３）。具体的には、光ディスク１０がＣＤの場合、ＦＥ信号振幅（ＣＤ）はＦＥ信号振幅（ＤＶＤ）よりも大きく、光ディスク１０がＤＶＤの場合、ＦＥ信号振幅（ＤＶＤ）はＦＥ信号振幅（ＣＤ）よりも大きい。そのため、ＦＥ信号振幅（ＣＤ）の大きさとＦＥ信号振幅（ＤＶＤ）の大きさを比較して、ＦＥ信号振幅（ＣＤ）のほうが大きければＣＤと判別し、ＦＥ信号振幅（ＤＶＤ）のほうが大きければＤＶＤと判別する。なお、ＦＥ信号振幅（ＣＤ）の大きさとＦＥ信号振幅（ＤＶＤ）の大きさを所定の閾値と比較して、ＦＥ信号振幅（ＣＤ）のほうが所定の閾値よりも大きければＣＤと判別し、ＦＥ信号振幅（ＤＶＤ）のほうが所定の閾値よりも大きければＤＶＤと判別するようにしてもよい。
【００５１】
ステップＳ２１３で装着された光ディスク１０の種類が判別されると、判別結果に基づいて光ディスク１０の種類に対応するレーザを再び発光（ＯＮ）させる（Ｓ２１４）。その後、フォーカスサーボやトラッキングサーボなどがオンとされ、光ディスク１０のデータ面に記録されているデータの再生が開始される（Ｓ２１５）。
【００５２】
以上説明したように、本実施例を適用した光ディスク装置によれば、フォーカスサーチの際、図７に示すようにフォーカスを上昇させている期間にＣＤ用レーザを発光（ＯＮ）し、フォーカスが最大上昇位置に達した時点で、ＣＤ用レーザを消灯（オフ）し、フォーカスを下降させている期間にＤＶＤ用レーザを発光（ＯＮ）している。すなわち、光ディスク判別のためのフォーカスサーチが、従来の装置では、フォーカスの上昇が２回、下降が２回行われていたが、本実施例を適用した光ディスク装置では、フォーカスの上昇と下降ともに１回のみで終了することができる。これにより、フォーカスサーチに要する時間を短縮することができる。その結果、光ディスク判別に要する時間を短縮することができ、光ディスクが装着されてからフォーカスサーボなどがオンとされるまでの時間を従来よりもおよそ半分の時間まで短縮することができる。
【００５３】
なお、本実施例において、フォーカスサーチの際、フォーカスサーチ電圧を図８に示すように変化させることも好適である。この場合、ＣＤ用レーザのフォーカスサーチ開始位置が、対物レンズを、光ディスク厚さ方向に対し光ディスク１０に近づける位置にＵＰ（上昇）させて位置付けられる。このＣＤ用レーザのフォーカスサーチ開始位置は、予め設定された所定のオフセット電圧をフォーカスアクチュエータに印加することで位置付けることができる。また、この所定のオフセット電圧は、フォーカス位置がＣＤにレーザ光を照射した場合のジャストフォーカス位置よりも多少低い位置となるように、対物レンズを位置付ける値が設定される。より詳しくは、ＣＤ用レーザのフォーカスサーチ開始位置におけるフォーカス位置が、ＣＤの面振れによるジャストフォーカス位置の下限位置よりも多少低い位置となるように設定される。例として、フォーカスサーチ開始位置におけるフォーカス位置が、正規のジャストフォーカス位置よりも０．４ｍｍほど低い位置となるように設定される。これにより、ＣＤ用レーザのフォーカスサーチの際、ＣＤ用レーザによる光ディスク判別に不要なフォーカス下限位置近傍のフォーカスサーチを省略するため、対物レンズを上昇させて行うフォーカスサーチに要する時間をさらに短縮することができる。
【００５４】
また、ＣＤ用レーザによるフォーカスが最大上昇位置に達した時点で、ＣＤ用レーザを消灯（オフ）し、その最大上昇位置からＤＶＤ用レーザを発光（ＯＮ）させ、フォーカスを下降させるのではなく、図８に示すとおり最大上昇位置に達した時点で、ＣＤ用レーザを消灯（オフ）させるとともに、対物レンズを、光ディスク厚さ方向に対し光ディスク１０から遠ざける位置にＤＯＷＮ（下降）させる。この場合、ＤＶＤ用レーザのフォーカスサーチ開始位置が、対物レンズを強制的に、ＤＯＷＮ（下降）させて位置付けられる。そして、このＤＶＤ用レーザによるフォーカスサーチ開始位置に位置付けられた後、ＤＶＤ用レーザを発光（ＯＮ）しフォーカスを下降させる。このＤＶＤ用レーザによるフォーカスサーチ開始位置は、フォーカス位置がＣＤにレーザ光を照射した場合のジャストフォーカス位置よりも低く、かつＤＶＤにレーザ光を照射した場合のジャストフォーカス位置よりも高い位置となるように設定される。より詳しくは、フォーカス位置がＤＶＤの面振れによるジャストフォーカス位置の上限位置よりも多少高い位置となるように、対物レンズを位置付けた位置である。例として、ＤＶＤ用レーザのフォーカスサーチ開始位置（上限位置）におけるフォーカス位置が、正規のジャストフォーカス位置よりも０．４ｍｍほど高い位置となるように設定される。これにより、ＤＶＤ用レーザによるフォーカスサーチの際、ＤＶＤ用レーザによる光ディスク判別に不要なフォーカス上限位置近傍のフォーカスサーチを省略するため、対物レンズを下降させて行うフォーカスサーチに要する時間をさらに短縮することができる。
【００５５】
また、本実施例においては、フォーカスを上昇させている期間にＣＤ用レーザを発光（ＯＮ）させ、フォーカスを下降させている期間にＤＶＤ用レーザを発光（ＯＮ）させているが、フォーカスを上昇させている期間にＤＶＤ用レーザを発光（ＯＮ）させ、フォーカスを下降させている期間にＣＤ用レーザを発光（ＯＮ）させることもできる。
【実施例３】
【００５６】
本実施形態の光ディスク装置による光ディスク判別処理を含む再生処理についてのさらに他の例を図面に基づいて説明する。なお、図９のフローチャート、ならびに図１０のフォーカスサーチ電圧の変化を示す図を参照して本実施例を説明する。
【００５７】
まず、コントローラ２２は、光ディスク１０が装着されたか否かを判定し、光ディスク１０が装着されたと判定するまで待機する（Ｓ３０１）。光ディスク１０が装着されたと判定された場合、ＳＰＭ１２を駆動し、光ディスク１０を回転させるとともに、まず、ＰＵ１４のＤＶＤ用レーザを発光（オン）させる（Ｓ３０２）。次に、対物レンズを、光ディスク厚さ方向に対し光ディスク１０から遠ざける位置にＤＯＷＮ（下降）させて、ＤＶＤ用レーザのフォーカスサーチ開始位置に位置付ける（Ｓ３０３）。このＤＶＤ用レーザのフォーカスサーチ開始位置は、ＤＶＤ用レーザのフォーカスサーチのために予め設定された所定の対物レンズ下限位置としてもよいし、対物レンズの最大可動範囲における最下限位置としてもよい。前者の場合は、ＤＶＤ用レーザのフォーカスサーチ開始位置におけるフォーカス位置が、ＤＶＤの面振れによるジャストフォーカス位置の下限位置よりも多少低い位置となるように設定される。例として、フォーカスサーチ開始位置におけるフォーカス位置が、正規のジャストフォーカス位置よりも０．４ｍｍほど低い位置となるように設定される。
【００５８】
そして、対物レンズをＤＶＤ用レーザのフォーカスサーチ開始位置に位置付けた後、図１０に示すようなフォーカスサーチ電圧に基づいてフォーカスアクチュエータを駆動し、予め設定された所定の電圧まで対物レンズをＵＰ（上昇）させる（Ｓ３０４）。このサーチ電圧は、傾斜状に上昇する信号に一定周期で微小振動する信号が重畳された信号であり、このサーチ電圧に基づいて対物レンズを微小に上下に振動させながら上昇させることにより、フォーカスを上昇させている。また、このとき、対物レンズはトラッキング方向にも微小に振動させてもよい。なお、この予め設定された所定の電圧は、フォーカス位置がＣＤにレーザ光を照射した場合のジャストフォーカス位置よりも低く、かつＤＶＤにレーザ光を照射した場合のジャストフォーカス位置よりも高い位置（所定位置）となるように設定された値である。言い換えるならば、フォーカス位置がＤＶＤの面振れによるジャストフォーカス位置の上限位置よりも多少高い位置となるように、対物レンズを位置付ける値である。例として、ＤＶＤ用レーザのフォーカスサーチの上限位置におけるフォーカス位置が、正規のジャストフォーカス位置よりも０．４ｍｍほど高い位置となるように設定される。
【００５９】
そして、このようにフォーカスサーチ電圧を予め設定された所定の電圧まで上昇させ、フォーカスを所定位置まで上昇させている期間に、ＦＥ信号の変化を測定する（Ｓ３０５）。このとき、装着された光ディスク１０がＤＶＤの場合は、対物レンズを光ディスク厚さ方向に対し上昇させ、フォーカスを所定位置まで上昇させると、ＦＥ信号にはＳ字波形が現れる。しかしながら、装着された光ディスク１０がＣＤの場合は、フォーカスを上昇させている期間に、このＳ字波形が現れにくい。したがって、Ｓ字波形の振幅（最大値と最小値の電圧差）あるいはＳ字波形の出現の有無を測定する。この測定結果は、光ディスク１０の種類を判別する判別材料となるので、この測定結果をコントローラ２２内の図示しないＲＡＭなどの記憶部に記憶させる（Ｓ３０６）。
【００６０】
その後、図１０に示すとおりフォーカスサーチ電圧が所定の電圧に達すると、対物レンズの上昇を停止させ、ＤＶＤ用レーザを消灯（オフ）させる（Ｓ３０７）。ＤＶＤ用レーザがオフとなり、ＤＶＤ用レーザのフォーカスの上昇が終了すると、次に、ＣＤ用レーザを発光（ＯＮ）させる（Ｓ３０８）。そして、対物レンズを、光ディスク厚さ方向に対し光ディスク１０から遠ざける位置にＤＯＷＮ（下降）させて、ＣＤ用レーザのフォーカスサーチ開始位置に位置付ける（Ｓ３０９）。このＣＤ用レーザのフォーカスサーチ開始位置は、フォーカス位置が、ＣＤの面振れによるジャストフォーカス位置の下限位置よりも多少低い位置となるように設定される。例として、フォーカスサーチ開始位置におけるフォーカス位置が、正規のジャストフォーカス位置よりも０．４ｍｍほど低い位置となるように設定される。そして、図１０に示すとおりフォーカスサーチ電圧に基づいてフォーカスアクチュエータを駆動し、予め設定された所定の上限値までフォーカスサーチ電圧を上昇させ、対物レンズを引き続きＵＰ（上昇）させる（Ｓ３１０）。
【００６１】
そして、このようにフォーカスを上昇させている期間に、ＦＥ信号の変化を測定する（Ｓ３１１）。このとき、装着された光ディスク１０がＣＤの場合は、対物レンズを光ディスク厚さ方向に対し上昇させ、フォーカスを上限位置まで上昇させると、ＦＥ信号にはＳ字波形が現れる。しかしながら、装着された光ディスク１０がＤＶＤの場合は、このＳ字波形が現れにくい。したがって、Ｓ字波形の振幅（最大値と最小値の電圧差）あるいはＳ字波形の出現の有無を測定する。この測定結果をコントローラ２２内の図示しないＲＡＭなどの記憶部に記憶させる（Ｓ３１２）。
【００６２】
その後、図１０に示すとおりフォーカスサーチ電圧が所定の上限値に達すると、対物レンズの上昇を停止させ、今度は対物レンズを、光ディスク厚さ方向に対し光ディスク１０から遠ざける位置にＤＯＷＮ（下降）させるようにフォーカスアクチュエータを駆動し、フォーカスを下降させる（Ｓ３１３）。このとき、ステップＳ３０９で設定したＣＤ用レーザのフォーカスサーチ開始位置と同じ位置まで対物レンズを下降させ、フォーカスを下降させる。このときのサーチ電圧は、ステップＳ３１０でのフォーカス上昇時の傾斜角と同様の傾斜角で下降するように設定される。また、このサーチ電圧は、ステップＳ３１０での上昇時と同様に、傾斜状に下降する信号に一定周期で微小振動する信号が重畳された信号であり、このサーチ電圧に基づいて対物レンズを微小に上下に振動させながら下降させることにより、フォーカスを下降させている。なお、このときも、対物レンズはトラッキング方向にも微小に振動させてもよい。
【００６３】
そして、このようにフォーカスサーチ電圧をＣＤ用レーザのフォーカスサーチ開始位置と同じ電圧まで下降させ、フォーカスを下降させている期間に、ＦＥ信号の変化を測定する（Ｓ３１４）。このとき、装着された光ディスク１０がＣＤの場合は、ＦＥ信号にはＳ字波形が現れる。しかしながら、装着された光ディスク１０がＤＶＤの場合は、フォーカスを下降させている期間に、このＳ字波形が現れにくい。したがって、Ｓ字波形の振幅（最大値と最小値の電圧差）あるいはＳ字波形の出現の有無を測定する。この測定結果をコントローラ２２内の図示しないＲＡＭなどの記憶部に記憶させる（Ｓ３１５）。
【００６４】
その後、図１０に示すとおりフォーカスサーチ電圧がＣＤ用レーザのフォーカスサーチ開始位置と同じ電圧に達すると、対物レンズの下降を停止させ、ＣＤ用レーザを消灯（オフ）させる（Ｓ３１６）。ＣＤ用レーザがオフとなり、ＣＤ用レーザのフォーカスの下降が終了すると、次に、ＤＶＤ用レーザを発光（ＯＮ）させる（Ｓ３１７）。そして、対物レンズを、光ディスク厚さ方向に対し光ディスク１０に近づける位置にＵＰ（上昇）させて、ＤＶＤ用レーザのフォーカスＤＯＷＮ時（下降時）におけるフォーカスサーチ開始位置に位置付ける（Ｓ３１８）。このＤＶＤ用レーザのフォーカスＤＯＷＮ時のサーチ開始位置は、Ｓ３０７で達したフォーカスサーチ電圧と同じ所定の電圧をフォーカスアクチュエータに印加することで位置付けることができる。そして、図１０に示すとおりフォーカスサーチ電圧に基づいてフォーカスアクチュエータを駆動し、ＤＶＤ用レーザのフォーカスサーチ開始位置と同じである、ＤＶＤ用レーザのフォーカスサーチのために予め設定された所定の対物レンズ下限位置、あるいは、対物レンズの最大可動範囲における最下限位置までフォーカスサーチ電圧を下降させ、対物レンズを引き続きＤＯＷＮ（下降）させる（Ｓ３１９）。
【００６５】
そして、フォーカスを下降させている期間に、ＦＥ信号の変化を測定する（Ｓ３２０）。このとき、装着された光ディスク１０がＤＶＤの場合は、ＦＥ信号にはＳ字波形が現れる。しかしながら、装着された光ディスク１０がＣＤの場合は、このＳ字波形が現れにくい。したがって、Ｓ字波形の振幅（最大値と最小値の電圧差）あるいはＳ字波形の出現の有無を測定する。この測定結果をコントローラ２２内の図示しないＲＡＭなどの記憶部に記憶させる（Ｓ３２１）。
【００６６】
その後、図１０に示すとおりフォーカスサーチ電圧が、上述のＤＶＤ用レーザのフォーカスサーチ開始位置と同じ電圧に達すると、対物レンズの下降を停止させ、ＤＶＤ用レーザを消灯（オフ）させる（Ｓ３２２）。ＤＶＤ用レーザがオフとなると、記憶させたＣＤ用レーザ光を照射したことによるＦＥ信号の振幅値（ＦＥ信号振幅（ＣＤ））あるいはＦＥ信号の有無（ＦＥ信号有無（ＣＤ））と記憶させたＤＶＤ用レーザ光を照射したことによるＦＥ信号の振幅値（ＦＥ信号振幅（ＤＶＤ））あるいはＦＥ信号の有無（ＦＥ信号有無（ＤＶＤ））を用いて、光ディスク１０の種類を判別する（Ｓ３２３）。
【００６７】
ステップＳ３２３で装着された光ディスク１０の種類が判別されると、判別結果に基づいて光ディスク１０の種類に対応するレーザを再び発光（ＯＮ）させる（Ｓ３２４）。その後、フォーカスサーボやトラッキングサーボなどがオンとされ、光ディスク１０のデータ面に記録されているデータの再生が開始される（Ｓ３２５）。
【００６８】
以上説明したように、本実施例を適用した光ディスク装置によれば、フォーカスサーチの際、図１０に示すように、まずＤＶＤ用レーザを発光（オン）し、フォーカスを上昇させ、フォーカスが上昇途中の所定位置に達した時点で、ＤＶＤ用レーザを消灯（オフ）し、ＣＤ用レーザを発光（オン）させている。そして、ＣＤ用レーザのフォーカスサーチ開始位置からフォーカスを引き続き上昇させ、フォーカスが上限位置まで上昇した後、フォーカスを下降させている。そして、フォーカスがＣＤ用レーザのフォーカスサーチ開始位置と同じ位置に達した時点で、ＣＤ用レーザを消灯（オフ）し、ＤＶＤ用レーザを再び発光（オン）させ、上述の所定位置からフォーカスを引き続き下降させている。すなわち、光ディスク判別のためのフォーカスサーチが、フォーカスの上昇と下降ともに１回のみで終了させたとしても、ＦＥ信号のＳ字波形の振幅あるいはＳ字波形の出現の有無の測定の機会を、ＣＤ用レーザとＤＶＤ用レーザともにフォーカス上昇時と下降時で２回得ることができる。これにより、フォーカスサーチに要する時間を短縮することができるとともに、光ディスク１０の種類を判別する判別材料の測定を確実に行うことができる。その結果、光ディスク判別に要する時間を短縮することができ、光ディスク１０の種類を確実に判別することができる。
【００６９】
以上、本発明の実施形態について説明したが、本発明はこれに限定されることなく、本発明の技術的思想に基づいて種々の変更が可能である。例えば、本実施形態の実施例においては、光ディスク１０の種類を判別する判別材料にＦＥ信号のＳ字波形の振幅あるいはＳ字波形の出現の有無を用いて光ディスク１０の種類を判別するようにした。しかしながら、ＦＥ信号のＳ字波形の振幅あるいはＳ字波形の出現の有無を用いただけでは、光ディスク１０の種類を判別することが難しい場合もある。このことから、実際上、本発明は、ＦＥ信号のＳ字波形の振幅を用いた判別に加えて、光ディスク１０からの反射光に基づいて検出された反射和信号（ＡＳ信号）、ＲＦエンベロープ信号（変調度）なども判別材料として用いて、光ディスク１０の種類を判別するようにする。
【００７０】
具体的には、ＦＥ信号のＳ字波形の振幅を用いた判別に加えて、ＡＳ信号が所定値以上であるか否か、変調度が所定値以上であるか否かなどによって、光ディスク１０の種類を判別すればよい。ここで、ＡＳ信号とは、フォーカスサーチの際に、ＰＵ１４の４分割フォトディテクタから得られる電気信号の総和であり、信号処理部１６により生成される。また、変調度とは、フォーカスサーチの際に、ＰＵ１４からの電気信号に基づくＲＦ信号のピークレベルとボトムレベルを算出し、その差をピークレベルで除算した値であり、信号処理部１６により生成される。
【００７１】
また、本発明は再生のみならず光ディスクへの記録ができる装置であってももちろん適用される。
【図面の簡単な説明】
【００７２】
【図１】従来の光ディスク装置による光ディスク判別処理のフォーカスサーチ電圧の変化を示す図である。
【図２】ＣＤとＤＶＤの断面を示す図であり、図２（Ａ）は、ＣＤの断面図、図２（Ｂ）は、ＤＶＤの断面図である。
【図３】本発明の実施形態である光ディスク装置の構成例を示すブロック図である。
【図４】本実施形態の光ディスク装置による再生処理を説明するフローチャートである。
【図５】本実施形態の光ディスク装置による光ディスク判別処理のフォーカスサーチ電圧の変化を示す図である。
【図６】本実施形態の光ディスク装置による再生処理を説明する他のフローチャートである。
【図７】本実施形態の光ディスク装置による光ディスク判別処理の他のフォーカスサーチ電圧の変化を示す図である。
【図８】本実施形態の光ディスク装置による光ディスク判別処理の他のフォーカスサーチ電圧の変化を示す図である。
【図９】本実施形態の光ディスク装置による再生処理を説明するさらに他のフローチャートである。
【図１０】本実施形態の光ディスク装置による光ディスク判別処理のさらに他のフォーカスサーチ電圧の変化を示す図である。
【符号の説明】
【００７３】
１０  光ディスク
１２  スピンドルモータ（ＳＰＭ）
１４  ２波長光ピックアップ（ＰＵ）
１６  信号処理部 
１８  データ復調部
２０  Ｉ／Ｆ
２２  コントローラ
２４  スレッドモータ（ＳＬＭ）
【図１】
2005353201.tif 000003
【図２】
2005353201.tif 000004
【図３】
2005353201.tif 000005
【図４】
2005353201.tif 000006
【図５】
2005353201.tif 000007
【図６】
2005353201.tif 000008
【図７】
2005353201.tif 000009
【図８】
2005353201.tif 000010
【図９】
2005353201.tif 000011
【図１０】
2005353201.tif 000012